(57)【特許請求の範囲】
【請求項１】
注射針を保持するロック用チップと、このロック用チップを着脱自在に支持するシリンジと、このシリンジの内側で薬液の充填空間を形成しその摺動にて薬液を注射針の先端から排出するプランジャーを備えた注射器であって、
前記シリンジに、充填空間に通じる開口を有する天面壁とこの天面壁と一体になり該開口を取り囲む環状側壁と、ロック用チップのフランジに適合するガイドを設け、
前記環状側壁に、天面壁の開口に通じる通路を有し該環状側壁に沿って回転可能に保持される回転体を配置し、
前記回転体に、該回転体の通路の内壁面に設けたねじ部を、ロック用チップの外周に設けたねじ部に係合させて該ロック用チップをねじ止め配置してなり、
前記プランジャーの先端部に、ロック用チップのねじ部と回転体のねじ部の係合を解除して該ロック用チップが注射針とともにシリンジの充填空間に落下した際に、該注射針を傾いた状態で支持し、かつロック用チップとともに天面壁との相互間にて挟持する縮径面を設けたことを特徴とする注射器。
【発明の詳細な説明】
【０００１】
【発明の属する技術分野】
本発明は、注射器に関するものであり、該注射器をより一層安全に取り扱おうとするものである。
【０００２】
【従来の技術】
医療分野で使用される注射器は、その取り扱いに際して安全性を確保する観点から、使用前、使用後（廃棄時）の注射器には注射針を覆い隠す保護カバーが取り付けられる。
【０００３】
ところで、従来の保護カバーは、注射器からの着脱が可能なキャップ形式であることから、その装着に際して誤って針先で手や指に傷をつけてしまうおそれがあること（とくに使用済みの注射器に保護カバーをして廃棄する時）、また、保護カバーを装着する作業自体煩わしいものとなっており作業者の負担（とくに精神的な負担）が大きくその改善が求められている。
【０００４】
【発明が解決しようとする課題】
本発明の課題は、注射器の使用後に安全かつ簡便に注射針をシリンジ内に格納できる新規な注射器を提案するところにある。
【０００５】
【課題を解決するための手段】
本発明は、注射針を保持するロック用チップと、このロック用チップを着脱自在に支持するシリンジと、このシリンジの内側で薬液の充填空間を形成しその摺動にて薬液を注射針の先端から排出するプランジャーを備えた注射器であって、
前記シリンジに、充填空間に通じる開口を有する天面壁とこの天面壁と一体になり該開口を取り囲む環状側壁と、ロック用チップのフランジに適合するガイドを設け、
前記環状側壁に、天面壁の開口に通じる通路を有し該環状側壁に沿って回転可能に保持される回転体を配置し、
前記回転体に、該回転体の通路の内壁面に設けたねじ部を、ロック用チップの外周に設けたねじ部に係合させて該ロック用チップをねじ止め配置してなり、
前記プランジャーの先端部に、ロック用チップのねじ部と回転体のねじ部の係合を解除して該ロック用チップが注射針とともにシリンジの充填空間に落下した際に、該注射針を傾いた状態で支持し、かつロック用チップとともに天面壁との相互間にて挟持する縮径面を設けたことを特徴とする注射器である。
【０００６】
上記の構成になる注射器においてロック用チップとシリンジの相互間には、該ロック用チップをシリンジの軸心に沿い直線的にスライドさせるガイド（回転体の回転に伴うロック用チップの供回りを防止するもの）を設けることができる。
【０００７】
【発明の実施の形態】
以下、図面を用いて本発明をより具体的に説明する。
【０００８】
図１（ａ）（ｂ）は本発明に従う注射器の実施の形態を示したものである。図における番号１は注射針、２は注射針１を保持するロック用チップであり、このロック用チップ２の外周にはねじ部２ａが設けられている。
【０００９】
また、３はシリンジ、４はシリンジ３と一体になる天面壁である。この天面壁４はシリンジ３内に通じる開口４ａを有している。
【００１０】
また、５は天面壁４と一体になり開口４ａを取り囲む環状側壁、６は環状側壁５に回転可能に保持される回転体であり、この回転体６は天面壁４の開口４ａに通じる通路６ａを有し、その内壁面にはロック用チップ２のねじ部２ａに係合して該チップ２をねじ止めするねじ部６ｂが設けられている。
【００１１】
さらに、図における７はシリンジ３の内側で薬液の充填空間Ｍを形成しその本体部分の末端を押圧、摺動させることによって薬液を注射針１の先端から排出するプランジャー、８はプランジャー７の先端部に設けられた縮径面、９はロック用チップ２のフランジ２ｂと天面壁４との相互間に配されるシール部材（パッキン等）、そして１０はシリンジ３の内側において一体的に設けられた縦溝からなるガイドであり、このガイド１０はロック用チップ２の供回りを防止してそれを直線的にスライドさせる。
【００１２】
上掲図１は注射器の使用時の状態を示したものであって、注射針１はロック用チップ２及び回転体６を介してシリンジ３に固定保持されており、プランジャー７をその末端にて押圧しシリンジ３内で摺動させることによって充填空間Ｍ内の薬液を注射針１の先端から排出する。
【００１３】
かかる注射器の使用後（廃棄時）は、プランジャー７を一たん引き戻してシリンジ３内に空間を形成し、ここで回転体６を環状側壁５の周りで回転させる。すると、回転体６のねじ部６ｂに係合するロック用チップ２は注射針１とともにプランジャー７に向けてスライドしていき、ロック用チップ２のねじ部２ａと回転体６のねじ部６ｂの係合が解除されたときロック用チップ２は注射針１とともにシリンジ３の空間（充填空間）へと落下する。
【００１４】
注射針１がシリンジ３の空間へと落下すると縦断面が三角形状・円弧状・台形状の何れかを呈す縮径面８の存在により、プランジャー７の先端部において傾いた状態にて支持され、これに続いて再度、プランジャー７を押圧、摺動させると図３に示すごとく注射針１がロック用チップ２とともに天面壁４との相互間で挟持（固定）されることとなり、これにより注射針１の格納が完了する。
【００１５】
図３にロック用チップ２とガイド１０の適合状態を示す。
【００１６】
本発明に従う注射器は以上の手順をたどることにより注射針１に触れることなしに注射針１をシリンジ３内に確実に格納することを可能とするものであり、格納にかかる注射針１は縮径面８と天面壁４との間で挟持されるため回転体６の通路６ａから飛び出すこともない。
【００１７】
注射針１を天面壁４と縮径面８との間で確実に挟持するため、ロック用チップ２のフランジ２ｂはシリンジ３内の径よりも小さな径とする。
【００１８】
上記の構成になる注射器において注射針とその他の構成部材を分別するに当たっては、プランジャー７をシリンジ３から引き抜くだけで注射針を取り出すことができので、分別回収は極めて簡単に行い得る。
【００１９】
図４は本発明に従う注射器の要部（シリンジ３の開口端）を示した図であり、図中１１はシリンジ３の開口端に設けた抜け止めリングである。抜け止めリング１１はねじ止めタイプ、接着タイプ、アンダーカットタイプのものが適用でき、シリンジ３の開口端にこのような抜け止めリング１１を設けておくことにより、注射器の廃棄に際してプランジャー７がシリンジ３から外れて注射針１が外部に排出されることはなく、安全性がより一層高まる。
【００２０】
上掲図４に示した構成になる注射器は、注射針をシリンジ内に格納したのちは、シリンジにプランジャーを挿入したまま廃棄されることになる。
【００２１】
【発明の効果】
本発明によれば、回転体の回転にて注射針をシリンジ内に落とし込み、天面壁とプランジャーの相互間にて挟持することができ針先が手や指に触れて傷をつけるおそれは全くなく、また、注射針の格納の際の煩わしさも軽減される。
【図面の簡単な説明】
【図１】  （ａ）（ｂ）は本発明に従う注射器の構成説明図である。
【図２】  図１に示した注射器の使用後における状態を示した図である。
【図３】  図１に示した注射器の要部を示した図である。
【図４】  シリンジの開口端を示した図である。
【符号の説明】
1   注射針
2   ロック用チップ
2a  ねじ部
2b  フランジ
3   シリンジ
4   天面壁
5   環状即壁
6   回転体
6a  通路
6b  ねじ部
7   プランジャー
8   縮径面
9   シール部材
10  ガイド
11  リング
Ｍ  充填空間
【図１】
0004031940.tif 000002
【図２】
0004031940.tif 000003
【図３】
0004031940.tif 000004
【図４】
0004031940.tif 000005